(57)【特許請求の範囲】
【請求項１】
質量％で、
Ｃ：0.07〜0.18％、                    Mn：0.3〜1.5％、
Ｐ：0.03％以下、                      Ｓ：0.015％以下、
Al：0.01〜0.06％、                    Ｎ：0.006％以下
を含み、残部Feおよび不可避的不純物からなる組成と、フェライトを主相とし、第二相として、パーライト、または、パーライトおよびベイナイトを有し、下記（１）式で定義される第二相頻度が0.20〜0.42であり、主相と第二相とを含む平均結晶粒径が７〜15μmである組織を有し、降伏強さ：215MPa以上、引張強さ：400〜510MPaの強度、75％以下の低降伏比で、シャルピー衝撃試験の試験温度：０℃における吸収エネルギー：180Ｊ以上となる高靭性を有することを特徴とする建築構造部材向け角形鋼管用厚肉熱延鋼板。
記
第二相頻度＝（所定長さの線分と交叉する第二相粒の粒数）／（所定長さの線分と交叉する主相粒および第二相粒の合計粒数）‥‥（１）
【請求項２】
前記組成に加えてさらに、質量％で、Si：0.4％未満を含有することを特徴とする請求項１に記載の建築構造部材向け角形鋼管用厚肉熱延鋼板。
【請求項３】
前記組成に加えてさらに、質量％で、Nb：0.015％以下、Ti：0.030％以下、Ｖ：0.070％以下のうちから選ばれた１種または２種以上を含有することを特徴とする請求項１または２に記載の建築構造部材向け角形鋼管用厚肉熱延鋼板。
【請求項４】
前記組成に加えてさらに、質量％で、Ｂ：0.008％以下を含有することを特徴とする請求項１ないし３のいずれかに記載の建築構造部材向け角形鋼管用厚肉熱延鋼板。
【請求項５】
鋼素材に、熱延工程と、冷却工程と、巻取工程を施し、熱延鋼板とするに当たり、
前記鋼素材を、質量％で、
Ｃ：0.07〜0.18％、                   Mn：0.3〜1.5％、
Ｐ：0.03％以下、                     Ｓ：0.015％以下、
Al：0.01〜0.06％、                   Ｎ：0.006％以下
を含み、残部Feおよび不可避的不純物からなる組成を有する鋼素材とし、
前記熱延工程が、前記鋼素材を加熱温度：1100〜1300℃に加熱したのち、該加熱された鋼素材に粗圧延終了温度：1150〜950℃とする粗圧延を施しシートバーと、該シートバーに仕上圧延開始温度を1100〜850℃、仕上圧延終了温度を900〜750℃とする仕上圧延を施し熱延板とする工程であり、
前記冷却工程を、前記仕上圧延終了後10ｓ以内に冷却を開始し、表面温度で750〜650℃の温度域の平均冷却速度が20℃／ｓ以下、板厚中心部温度が650℃に到達するまでの時間が35ｓ以内でかつ板厚中心部の750〜650℃の温度域の平均冷却速度が４〜15℃／ｓとなるように、巻取温度まで冷却する工程とし、
前記巻取工程を、巻取温度：500〜650℃で巻取り、その後放冷する工程とし、
前記熱延鋼板を、フェライトを主相とし、第二相として、パーライト、または、パーライトおよびベイナイトを有し、下記（１）式で定義される第二相頻度が0.20〜0.42であり、主相と第二相とを含む平均結晶粒径が７〜15μmである組織と、降伏強さ：215MPa以上、引張強さ：400〜510MPaの強度で、75％以下の低降伏比で、シャルピー衝撃試験の試験温度：０℃における吸収エネルギー：180Ｊ以上となる高靭性を有する熱延鋼板と
する、
ことを特徴とする建築構造部材向け角形鋼管用厚肉熱延鋼板の製造方法。
記
第二相頻度＝（所定長さの線分と交叉する第二相粒の粒数）／（所定長さの線分と交叉する主相粒および第二相粒の合計粒数）‥‥（１）
【請求項６】
前記仕上圧延の総圧下率が35〜70％であることを特徴とする請求項５に記載の建築構造部材向け角形鋼管用厚肉熱延鋼板の製造方法。
【請求項７】
前記鋼素材の組成に加えてさらに、質量％で、Si：0.4％未満を含有することを特徴とする請求項５または６に記載の建築構造部材向け角形鋼管用厚肉熱延鋼板の製造方法。
【請求項８】
前記鋼素材の組成に加えてさらに、質量％で、Nb：0.015％以下、Ti：0.030％以下、Ｖ：0.070％以下のうちから選ばれた１種または２種以上を含有することを特徴とする請求項５ないし７のいずれかに記載の建築構造部材向け角形鋼管用厚肉熱延鋼板の製造方法。
【請求項９】
前記鋼素材の組成に加えてさらに、質量％で、Ｂ：0.008％以下を含有することを特徴とする請求項５ないし８のいずれかに記載の建築構造部材向け角形鋼管用厚肉熱延鋼板の製造方法。
【請求項１０】
請求項１ないし４のいずれかに記載の厚肉熱延鋼板を素材として、冷間成形により製造されてなり、管軸方向で、降伏強さ：295〜445MPa、引張強さ：400〜550 MPaの強度と、80％以下の低降伏比で、シャルピー試験の試験温度：0℃における吸収エネルギー：150Ｊ以上となる高靭性を有する建築構造部材向け角形鋼管。
【発明の詳細な説明】
【技術分野】
【０００１】
本発明は、建築構造部材向け角形鋼管用熱延鋼板に係り、とくに、熱延鋼板を素材とし冷間でロール成形により製造される角形鋼管（角コラム）の低降伏比化、靭性の更なる向上に関する。なお、熱延鋼板には、熱延鋼板、熱延鋼帯を含むものとする。  
【背景技術】
【０００２】
角形鋼管は、通常、熱延鋼板（熱延鋼帯）または厚板を素材として、冷間成形により製造される。角形鋼管の製造に際し、用いる冷間成形としては、プレス成形、ロール成形がある。熱延鋼帯を素材とし、ロール成形を利用して角形鋼管を製造する場合には、まず熱延鋼帯を丸型鋼管に成形し、その後、該丸型鋼管に冷間成形を加えて角形鋼管とするのが一般的である。このロール成形を利用した角形鋼管の製造方法は、プレス成形を利用した角形鋼管の製造方法に比べて、生産性が高いという利点がある。しかし、ロール成形を利用した角形鋼管の製造方法では、丸型への成形に際し管軸方向に大きな加工歪が導入されるとともに、丸型から角形に冷間成形される際に、角形鋼管の平坦部では丸型への曲げ成形とは逆方向の曲げ戻し成形を受けることになる。このため、ロール成形を利用して製造された角形鋼管では、管軸方向の降伏比が上昇しやすく、さらにバウシンガー効果等により、延性、靭性が低下しやすいという問題がある。  
【０００３】
このような問題に対し、例えば特許文献１には、重量％で、Ｃ：0.03〜0.25％、Si：0.10〜0.50％、Mn：0.30〜2.00％、Ｐ：0.020％以下、Ｓ：0.020％以下、Ｏ：50ppm以下、Ｈ：5ppm以下、Al：0.150％以下、Ti：0.050％以下、Ｖ：0.100％以下、Nb：0.080％以下、Zr：0.050％以下、Ｂ：0.0050％以下のうちの1種または2種以上を含有し、ＮをＮ≦(1/5)｛(1/2)Al＋(1/1.5)Ti＋(1/3.5)Ｖ＋(1/6.5)Nb＋(1/6.5)Zr＋Ｂ｝の関係を満足するように含有する鋼に、加熱温度：1150〜1250℃、仕上温度：800〜870℃の条件で熱間圧延を施し、500〜650℃の条件で巻取する、低降伏比高靭性角形鋼管用鋼材の製造方法が記載されている。
【０００４】
また、特許文献２には、低炭素鋼鋼管に、Ac３−250℃〜Ac３−20℃に加熱し、引続き15℃/s以上の冷却速度で急冷したのち、冷間で角管に成形し、さらに200〜600℃の温度範囲で焼戻しする、降伏比が低く、低温靭性に優れた角管の製造方法が記載されている。特許文献２に記載された技術によれば、二相域加熱後急冷と、冷間成形と、焼戻とを、順次施すことにより、パイプ成形における加工硬化の影響を除去し、低降伏比と高靭性の角管を製造できるとしている。
【０００５】
また、特許文献３には、角鋼管用とは明記されていないが、高成形性と低降伏比とを有する鋼板が記載されている。特許文献３に記載された鋼板は、質量％で、Ｃ：0.0002〜0.1％、Si：0.003〜2.0％、Mn：0.003〜3.0％、Al：0.002〜2.0％を含有し、さらに、Ｂ：0.0002〜0.01％含む１群、Ti、Nb、Ｖ、Zrのうちから1種または２種以上を合計で0.005〜1.0％を含む２群、Cr、Mo、Cu、Niのうちから1種または２種以上を合計で0.005〜3.0％を含む３群、Ca：0.005％以下および希土類元素：0.20％以下含む４群、のうちから１群または２群以上を含み、不純物としてＰ：0.0002〜0.15％、Ｓ：0.0002〜0.05％、Ｎ：0.0005〜0.015％を含み、フェライト相の平均結晶粒径が１μm超え〜50μm、フェライト相の体積率が70％以上、フェライト相のアスペクト比が５以下で、フェライト粒界の70％以上が大角粒界からなり、かつ、残部相のうち体積率が最大である第二相の平均結晶粒径が50μm以下である、降伏強さと降伏比の変動が小さい鋼板である。
【０００６】
また、特許文献４には、加工用熱延鋼板が記載されている。特許文献４に記載された熱延鋼板は、重量％で、Ｃ：0.01〜0.2％、Si：0.01〜0.3％、Mn：0.1〜1.5％、Al：0.001〜0.1％を含み、Ｐ，Ｓ，Ｎを所定値以下に調整して含む組成と、主相であるポリゴナルフェライトと硬質第二相とを有し、硬質第二相の体積分率が３〜20％で、硬度比（硬質第二相硬度／ポリゴナルフェライト硬度）が1.5〜6、粒径比（ポリゴナルフェライト粒径／硬質第二相粒径）が1.5以上である組織を有する鋼板である。特許文献４に記載された技術では、プレスによる歪導入と塗装焼付処理とにより、60MPa以上のBH量を確保できる熱延鋼板を製造でき、370〜490MPa級の熱延鋼板であっても、540〜640MPa級鋼板を適用した場合と同等の強度を有するプレス成形部品を安定して製造できるとしている。
【０００７】
また、特許文献５には、脆性亀裂発生特性に優れた鋼板の製造方法が記載されている。特許文献５に記載された技術では、熱間圧延により、Ｃ：0.03〜0.2％、Si：0.5％以下、Mn：1.8％以下、Al：0.01〜0.1％、Ｎ：0.01％以下を満たす組成を有し、ミクロ組織がフェライト組織及びパーライト組織より構成された鋼板を得て、該鋼板に板厚表裏面から各々５〜15％の領域を４〜15℃／ｓの平均冷却速度で450〜650℃の温度以下まで一次冷却し、次いでＡr３変態点以下まで復熱させてから、１〜10℃／ｓの平均冷却速度で二次冷却を施す。これにより、板厚表裏面から各々５〜15％の領域が円相当平均径：４μm以下、アスペクト比：２以下の、微細なフェライト粒を有し、板厚の50〜75％の領域が、円相当平均径：７μm以下、アスペクト比：２以下の、微細なフェライト粒を有し、ＣＯＤ特性、さらには低温靭性が優れ、耐脆性き裂発生特性に優れた鋼板が得られるとしている。
【先行技術文献】
【特許文献】
【０００８】
【特許文献１】特開平08−246095号公報
【特許文献２】特開平03−219015号公報
【特許文献３】特開2002−241897号公報
【特許文献４】ＷＯ2005／028693 A1
【特許文献５】特開2001−303168号公報
【発明の概要】
【発明が解決しようとする課題】
【０００９】
しかしながら、特許文献１に記載された技術で製造された鋼材では、降伏比は高々81〜85％程度で、80％以下の低降伏比を確保できないうえ、０℃における吸収エネルギーも100Ｊ未満という場合もあり、必ずしも安定して、高靭性を確保できないという問題がある。また、特許文献２に記載された技術では、二相域加熱後急冷と、焼戻という２種類の熱処理を施す必要があり、工程が複雑になり、生産性が低下するとともに、製造コストが高騰するという問題がある。
【００１０】
またさらに、特許文献３に記載された鋼板を素材として用いて、丸型鋼管としたのち、冷間成形で角形鋼管とすると、角形鋼管の平坦部で冷間加工度が大きくなるため、角形鋼管として、十分な靭性を確保できるとは言い難いという問題がある。
また、特許文献４に記載された鋼板を素材として、丸型鋼管としたのち、冷間成形で角形鋼管とすると、得られる角形鋼管の平坦部では、冷間加工度が大きく、降伏強さが増加して降伏比が上昇するとともに、靭性が低下するという問題があった。さらに、特許文献４に記載された熱延鋼板は、歪時効が起こりやすく、冷間成形により角形鋼管を製造するための素材としては不適であると言える。
【００１１】
また、特許文献５に記載された技術で製造された熱延鋼板を用い、冷間成形により角形鋼管とすると、該熱延鋼板ではフェライト粒が微細であるため、冷間成形により得られた角形鋼管の降伏強さが上昇し、結果的に降伏比が上昇する。このため、特許文献５に記載された技術で製造された熱延鋼板を素材とすると、建築構造部材向け角形鋼管として、80％以下という低降伏比化を達成できないという問題がある。
【００１２】
本発明は、上記した従来技術の問題を有利に解決し、建築構造部材向け角形鋼管用素材として好適な、降伏強さ：215MPa以上、引張強さ：400〜510MPaの強度と、75％以下の低降伏比を示し、試験温度：０℃で、好ましくは試験温度：−30℃で、シャルピー衝撃試験の吸収エネルギーが180Ｊ以上となる、高靭性を具備する、厚肉熱延鋼板およびその製造方法を提供することを目的とする。
【００１３】
本発明が目的とする厚肉熱延鋼板は、上記した特性を有し、さらに該鋼板を素材として冷間成形により製造した角形鋼管において、管軸方向で、降伏強さ：295〜445MPa、引張強さ：400〜550MPaの強度と、80％以下の低降伏比を示し、試験温度：０℃、好ましくは試験温度：−30℃で、シャルピー衝撃試験の吸収エネルギーが150Ｊ以上となる、高靭性を具備させることができる鋼板である。
【００１４】
なお、ここでいう「厚肉熱延鋼板」とは、板厚が６mm以上25mm以下の熱延鋼板をいうものとする。
【課題を解決するための手段】
【００１５】
本発明者らは、上記した目的を達成するため、熱延鋼板を素材として冷間成形により製造された角形鋼管の降伏比、靭性に及ぼす各種要因の影響について鋭意研究した。その結果、素材として用いる熱延鋼板の組織、とくに第二相の存在が、冷間成形で製造された角形鋼管の降伏比、靭性に大きく影響することを知見した。
従来から、フェライト相とそれ以外の第二相とからなる複合組織では、フェライトより脆性クラックが伝播しやすい硬質の第二相の存在は、靭性を低下させると言われている。しかし、通常用いられる第二相の体積分率、第二相の平均粒径では、うまく靭性を評価できないことを知見した。というのは、第二相は、塊状に存在する場合や、結晶粒界に沿って存在する場合があり、その存在形態により、第二相体積分率や平均粒径は大きく異なったものとなる。通常用いられる第二相の体積分率や、平均結晶粒径で、第二相の靭性への影響を評価すると、粒界に沿って存在する第二相の影響が過少評価されることになる。
【００１６】
そこで、本発明者らは、更なる研究を行った結果、冷間成形により製造された角形鋼管の靭性、降伏比への第二相の影響は、素材である熱延鋼板の第二相頻度および主相であるフェライトと第二相とを含めた平均粒径を用いれば、うまく評価できることを見出した。
なお、ここでいう「第二相頻度」とは、つぎのようにして、求めた値を言うものとする。
【００１７】
まず、素材である熱延鋼板の圧延方向断面（Ｌ断面）組織を光学顕微鏡、走査型電子顕微鏡を用いて撮像する。得られた組織写真に、図１に示すように圧延方向および板厚方向にそれぞれ、所定長さの線分を所定本数だけ描き、該線分と交差する結晶粒の粒数を、主相、第二相の各相についてそれぞれ測定する。なお、線分の端部が結晶粒内に留まる場合には、0.5個とする。得られた、各線分と交差する第二相の合計粒数（第二相の粒数）と、得られた、各線分と交差する各相の粒数の合計粒数（総粒数）との比、（第二相の粒数）／（総粒数）を求め、第二相頻度と定義する。なお、各線分の所定長さは、組織の大きさに応じて適宜決定すればよい。
【００１８】
つぎに、本発明の基礎となった実験結果について説明する。
質量％で、0.09〜0.15％Ｃ−0.01〜0.18％Si−0.43〜1.35％Mn−0.017〜0.018％Ｐ−0.0025〜0.0033％Ｓ−0.031〜0.040％Al−残部Feおよび不可避的不純物からなる組成のスラブ（肉厚：230mm）を、1200〜1270℃に加熱・均熱したのち、粗圧延、仕上圧延からなる熱間圧延を施して、熱延鋼帯(板厚：16〜25mm)とし、コイル状に巻き取った。なお、仕上圧延は、総圧下率：40〜52％、仕上圧延終了温度：750〜850℃とする圧延とし、仕上圧延終了後、加速冷却を行った。また、巻取温度は550〜600℃とし、コイル状に巻取った後、放冷した。
【００１９】
ついで、得られた熱延鋼帯を素材とし、冷間ロール成形で丸型鋼管を製造したのち、さらに冷間でロール成形して角形鋼管（250mm角〜550mm角）とした。
得られた角形鋼管の平坦部から、引張方向が管長手方向となるように、JIS Z 2210の規定に準拠してJIS ５号引張試験片を採取し、JIS Z 2241の規定に準拠して引張試験を実施し、降伏比を求めた。また、得られた角形鋼管の平坦部の板厚１／４ｔ位置から、管長手方向が試験片長手方向となるように、Ｖノッチ試験片を採取し、JIS Z 2242の規定に準拠して、試験温度：０℃でシャルピー衝撃試験を実施し、吸収エネルギー（Ｊ）を求めた。
【００２０】
なお、角形鋼管の素材として使用した熱延鋼帯から、圧延方向断面（Ｌ断面）の板厚１/４ｔ位置を観察面とする組織観察用試験片を採取し、研磨、ナイタール腐食して、光学顕微鏡または走査型顕微鏡を用いて、組織観察を行った。得られた組織写真について、画像解析装置を用いて、各相の体積分率、さらに切断法で各相の平均結晶粒径、さらには、主相、第二相を含めた平均結晶粒径を求めた。
【００２１】
また、得られた組織写真に、図１に示すように、圧延方向と板厚方向にそれぞれ長さ125μmの線分を６本描き、それら線分と交差する各相の結晶粒数を測定した。そして、得られた、線分と交差する各相の結晶粒数から、次式
第二相頻度＝（線分と交叉する第二相粒の粒数）／（線分と交叉する主相粒および第二相粒の合計粒数）
で定義される、第二相頻度を算出した。なお、第二相は、パーライトおよびベイナイトであり、主相はポリゴナルフェライトであった。
【００２２】
得られた冷間成形角形鋼管平坦部の、（ａ）降伏比YR、および（ｂ）試験温度：０℃におけるシャルピー衝撃試験の吸収エネルギーvE０と、素材として用いた熱延鋼帯の第二相頻度との関係を図２に示す。また、得られた冷間成形角形鋼管平坦部の、（ａ）降伏比YR、および（ｂ）試験温度：０℃におけるシャルピー衝撃試験の吸収エネルギーvE０と、素材として用いた熱延鋼帯の主相、第二相を含めた平均結晶粒径との関係を図３に示す。
【００２３】
図２から、冷間成形角形鋼管平坦部の降伏比YRと、シャルピー衝撃試験の吸収エネルギーvE０とはともに、第二相頻度を用いることにより、ばらつき少なく整理でき、第二相頻度が、冷間成形角形鋼管の靭性、降伏比へ大きく影響していることがわかる。また、図３から、冷間成形角形鋼管平坦部の降伏比YRと、シャルピー衝撃試験の吸収エネルギーvE０とはともに、主相（フェライト）、第二相（パーライト、ベイナイト）を含めた平均結晶粒径を用いることによっても、ばらつき少なく整理でき、このような平均結晶粒径が、冷間成形角形鋼管の靭性、降伏比へ大きく影響していることがわかる。なお、急冷して表面から1/4t付近までの組織がベイナイトを主相とする組織になると、降伏比が顕著に上昇する。
【００２４】
また、図２、図３から、本発明の目標の一つである冷間成形角形鋼管の降伏比YR：80％以下は、第二相頻度を0.20以上に、主相（フェライト）、第二相（パーライト、ベイナイト）を含めた平均結晶粒径を７μm以上に、それぞれ調整することにより達成できる。また、本発明の目標の一つである冷間成形角形鋼管のシャルピー衝撃試験の吸収エネルギーvE０：150Ｊ以上は、第二相頻度を0.42以下に、主相（フェライト）、第二相（パーライト、ベイナイト）を含めた平均結晶粒径を15μm以下に、それぞれ調整することにより達成できる、ことがわかる。
【００２５】
なお、参考として、得られた冷間成形角形鋼管平坦部のシャルピー吸収エネルギーvE０と素材として用いた熱延鋼帯の第二相平均粒径との関係を図４に、vE０と第二相の組織分率との関係を図５に、それぞれ示す。図４、図５から、vE０と第二相平均粒径や第二相の組織分率との関係は、ばらつきが大きく、第二相平均粒径や第二相の組織分率では、冷間成形角形鋼管平坦部の靱性をうまく評価できないという、ことがわかる。
【００２６】
本発明は、かかる知見に基づき、さらに検討を加えて完成されたものである。すなわち、本発明の要旨はつぎのとおりである。
（１）質量％で、Ｃ：0.07〜0.18％、Mn：0.3〜1.5％、Ｐ：0.03％以下、Ｓ：0.015％以下、Al：0.01〜0.06％、Ｎ：0.006％以下を含み、残部Feおよび不可避的不純物からなる組成と、フェライトを主相とし、第二相として、パーライト、または、パーライトおよびベイナイトを有し、次（１）式
第二相頻度＝（所定長さの線分と交叉する第二相粒の粒数）／（所定長さの線分と交叉する主相粒および第二相粒の合計粒数）‥‥（１）
で定義される第二相頻度が0.20〜0.42であり、前記主相と前記第二相とを含む平均結晶粒径が７〜15μmである組織を有し、降伏強さ：215MPa以上、引張強さ：400〜510MPaの強度、75％以下の低降伏比で、シャルピー衝撃試験の試験温度：０℃における吸収エネルギー：180Ｊ以上となる高靭性を有することを特徴とする建築構造部材向け角形鋼管用厚肉熱延鋼板。
【００２７】
（２）（１）において、前記組成に加えてさらに、質量％で、Si：0.4％未満を含有することを特徴とする請求項１に記載の建築構造部材向け角形鋼管用厚肉熱延鋼板。
（３）（１）または（２）において、前記組成に加えてさらに、質量％で、Nb：0.015％以下、Ti：0.030％以下、Ｖ：0.070％以下のうちから選ばれた１種または２種以上を含有することを特徴とする建築構造部材向け角形鋼管用厚肉熱延鋼板。
【００２８】
（４）（１）ないし（３）のいずれかにおいて、前記組成に加えてさらに、質量％で、Ｂ：0.008％以下を含有することを特徴とする建築構造部材向け角形鋼管用厚肉熱延鋼板。
（５）鋼素材に、熱延工程と、冷却工程と、巻取工程を施し、熱延鋼板とするに当たり、前記鋼素材を、質量％で、Ｃ：0.07〜0.18％、Mn：0.3〜1.5％、Ｐ：0.03％以下、Ｓ：0.015％以下、Al：0.01〜0.06％、Ｎ：0.006％以下を含み、残部Feおよび不可避的不純物からなる組成を有する鋼素材とし、前記熱延工程が、前記鋼素材を加熱温度：1100〜1300℃に加熱したのち、該加熱された鋼素材に粗圧延終了温度：950〜1150℃とする粗圧延を施しシートバーと、該シートバーに仕上圧延開始温度を1100〜850℃、仕上圧延終了温度を900〜750℃とする仕上圧延を施し熱延板とする工程であり、前記冷却工程を、前記仕上圧延終了後10ｓ以内に冷却を開始し、表面温度で750〜650℃の温度域の平均冷却速度が20℃／ｓ以下、板厚中心部温度が650℃に到達するまでの時間が35ｓ以内でかつ板厚中心部の750〜650℃の温度域の平均冷却速度が４〜15℃／ｓとなるように、巻取温度まで冷却する工程とし、前記巻取工程を、巻取温度：500〜650℃で巻取り、その後放冷する工程とし、前記熱延鋼板を、フェライトを主相とし、第二相として、パーライト、または、パーライトおよびベイナイトを有し、次（１）式
第二相頻度＝（所定長さの線分と交叉する第二相粒の粒数）／（所定長さの線分と交叉する主相粒および第二相粒の合計粒数）‥‥（１）
で定義される第二相頻度が0.20〜0.42であり、主相と第二相とを含む平均結晶粒径が７〜15μmである組織と、降伏強さ：215MPa以上、引張強さ：400〜510MPaの強度で、75％以下の低降伏比で、シャルピー衝撃試験の試験温度：０℃における吸収エネルギー：180Ｊ以上となる高靭性を有する熱延鋼板とする、ことを特徴とする建築構造部材向け角形鋼管用厚肉熱延鋼板の製造方法。
【００２９】
（６）（５）において、前記仕上圧延の総圧下率が35〜70％であることを特徴とする建築構造部材向け角形鋼管用厚肉熱延鋼板の製造方法。
（７）（５）または（６）において、前記鋼素材の組成に加えてさらに、質量％で、Si：0.4％未満を含有することを特徴とする建築構造部材向け角形鋼管用厚肉熱延鋼板の製造方法。
【００３０】
（８）（５）ないし（７）のいずれかにおいて、前記鋼素材の組成に加えてさらに、質量％で、Nb：0.015％以下、Ti：0.030％以下、Ｖ：0.070％以下のうちから選ばれた１種または２種以上を含有することを特徴とする建築構造部材向け角形鋼管用厚肉熱延鋼板の製造方法。
（９）（５）ないし（８）のいずれかにおいて、前記鋼素材の組成に加えてさらに、質量％で、Ｂ：0.008％以下を含有することを特徴とする建築構造部材向け角形鋼管用厚肉熱延鋼板の製造方法。
【００３１】
（１０）（１）ないし（４）のいずれかに記載の厚肉熱延鋼板を素材として、冷間成形により製造されてなり、管軸方向で、降伏強さ：295〜445MPa、引張強さ：400〜550 MPaの強度と、80％以下の低降伏比で、シャルピー試験の試験温度：0℃における吸収エネルギー：150Ｊ以上となる高靭性を有する建築構造部材向け角形鋼管。
【発明の効果】
【００３２】
本発明によれば、建築構造部材向け角形鋼管用厚肉熱延鋼板を、容易にしかも安価に製造でき、産業上格段の効果を奏する。本発明になる厚肉熱延鋼板を用いて、冷間成形により角形鋼管を製造すると、管軸方向で、降伏強さ：295MPa以上、引張強さ：400MPa以上の強度と、80％以下の低降伏比を有し、かつ試験温度：−０℃で、150Ｊ以上のシャルピー衝撃試験吸収エネルギーを示す高靭性を具備する、角形鋼管を容易に製造できる。
【図面の簡単な説明】
【００３３】
【図１】第二相頻度の測定に用いる線分の一例を示す説明図である。
【図２】冷間成形された角形鋼管の降伏比YR、試験温度：０℃におけるシャルピー吸収エネルギーvE０に及ぼす第二相頻度の影響を示すグラフである。
【図３】冷間成形された角形鋼管の降伏比YR、試験温度：０℃におけるシャルピー吸収エネルギーvE０に及ぼす平均結晶粒径の影響を示すグラフである。
【図４】冷間成形された角形鋼管の試験温度：０℃におけるシャルピー吸収エネルギーvE０と第二相の平均粒径との関係を示すグラフである。
【図５】冷間成形された角形鋼管の試験温度：０℃におけるシャルピー吸収エネルギーvE０と第二相組織分率との関係を示すグラフである。
【発明を実施するための形態】
【００３４】
本発明厚肉熱延鋼板は、降伏強さ：215MPa以上、引張強さ：400〜510MPaの強度と、75％以下の低降伏比と、好ましくは28％以上の伸びとを示し、試験温度：０℃、好ましくは試験温度：−30℃で、シャルピー衝撃試験の吸収エネルギーが180Ｊ以上となる、高靭性を具備する、厚肉熱延鋼板である。
まず、本発明厚肉熱延鋼板の組成限定理由について説明する。なお、とくに断わらない限り質量％は、単に％で記す。
【００３５】
Ｃ：0.07〜0.18％
Ｃは、固溶強化により鋼板の強度を増加させるとともに、第二相の一つであるパーライトの形成に寄与する元素である。所望の引張特性、靭性、さらに所望の鋼板組織を確保するためには、0.07％以上の含有を必要とする。一方、0.18％を超える含有は、所望の鋼板組織が得られず、所望の熱延鋼板の、さらには角形鋼管の引張特性、靭性を確保できなくなる。このため、Ｃは0.07〜0.18％の範囲に限定した。なお、好ましくは0.09〜0.17％である。
【００３６】
Mn：0.3〜1.5％
Mnは、固溶強化を介して鋼板の強度を増加させる元素であり、所望の鋼板強度を確保するために、0.3％以上の含有を必要とする。なお、0.3％未満の含有では、フェライト変態開始温度の上昇を招き、組織が粗大化しやすい。一方、1.5％を超えて含有すると、鋼板の降伏強さが高くなりすぎるため、冷間成形して製造される角形鋼管の降伏比が高くなり、所望の降伏比を確保できなくなる。このため、Mnは0.3〜1.5％の範囲に限定した。なお、好ましくは0.35〜1.4％である。
【００３７】
Ｐ：0.03％以下
Ｐは、フェライト粒界に偏析して、靭性を低下させる作用を有する元素であり、本発明では、不純物としてできるだけ低減することが望ましいが、過度の低減は、精錬コストの高騰を招くため、0.002％以上とすることが好ましい。なお、0.03％までは許容できる。このため、Ｐは0.03％以下に限定した。なお、好ましくは0.025％以下である。
【００３８】
Ｓ：0.015％以下
Ｓは、鋼中では硫化物として存在し、本発明の組成範囲であれば、主としてMnSとして存在する。MnSは、熱間圧延工程で薄く延伸され、延性、靭性に悪影響を及ぼすため、本発明ではできるだけ低減することが望ましいが、過度の低減は、精錬コストの高騰を招くため、0.0002％以上とすることが好ましい。なお、0.015％までは許容できる。このため、Ｓは0.015％以下に限定した。なお、好ましくは0.010％以下である。
【００３９】
Al：0.01〜0.06％
Alは、脱酸剤として作用するとともに、AlNとしてＮを固定する作用を有する元素である。このような効果を得るためには、0.01％以上の含有を必要とする。0.01％未満では、Si無添加の場合に脱酸力が不足し、酸化物系介在物が増加し、鋼板の清浄度が低下するとともに、角形鋼管の溶接部品質に悪影響を及ぼす。一方、0.06％を超える含有は、固溶Al量が増加し、角形鋼管の溶接時に、とくに大気中での溶接の場合に、溶接部に酸化物を形成させる危険性が高くなり、角形鋼管溶接部の靭性が低下する。このため、Alは0.01〜0.06％に限定した。なお、好ましくは0.02〜0.05％である。
【００４０】
Ｎ：0.006％以下
Ｎは、鋼板の延性、角形鋼管の溶接性を低下するため、本発明ではできるだけ低減することが望ましいが、0.006％までは許容できる。このため、Ｎは0.006％以下に限定した。なお、好ましくは0.005％以下である。
上記した成分が、基本の成分であるが、これら基本組成に加えて、選択元素として、Si：0.4％未満、および／または、Nb：0.015％以下、Ti：0.030％以下、Ｖ：0.070％以下のうちから選ばれた１種または２種以上、および／または、Ｂ：0.008％以下、を必要に応じて選択して含有できる。
【００４１】
Si：0.4％未満
Siは、固溶強化で鋼板の強度増加に寄与する元素であり、所望の鋼板強度を確保するために、必要に応じて含有できる。このような効果を得るためには、0.01％を超えて含有することが望ましいが、0.4％以上の含有は、鋼板表面に、赤スケールと称するファイアライトが形成しやすくなり、表面の外観性状が低下する場合が多くなる。このため、含有する場合には、0.4％未満とすることが好ましい。なお、とくにSiを添加しない場合は、Siは不可避的不純物として、そのレベルは0.01％以下である。
【００４２】
Nb：0.015％以下、Ti：0.030％以下、Ｖ：0.070％以下のうちから選ばれた１種または２種以上
Nb、Ti、Ｖはいずれも、炭化物、窒化物を形成し、結晶粒径を微細化する作用を有する元素であり、降伏比が高くなる傾向となる。このため、本発明では、含有しないことが望ましいが、結晶粒径を極微細化しない範囲であれば、すなわち、フェライト相と第二相（パーライト、ベイナイト）を含む平均粒径で７μm以上を確保できる範囲であれば、含有してもよい。このような含有範囲はそれぞれ、Nb：0.015％以下、Ti：0.030％以下、Ｖ：0.070％以下である。
【００４３】
Ｂ：0.008％以下
Ｂは、冷却過程のフェライト変態を遅延させ、低温変態フェライト、すなわちアシュキュラーフェライト相の形成を促進し、鋼板強度を増加させる作用を有する元素であり、Ｂの含有は、鋼板の降伏比、したがって角形鋼管の降伏比を増加させる。このため、本発明では、角形鋼管の降伏比が80％以下となるような範囲であれば、必要に応じて含有できる。このような範囲はＢ：0.008％以下である。
【００４４】
上記した成分以外の残部は、Feおよび不可避的不純物である。なお、不可避的不純物としては、Ｏ：0.005％以下、Ｎ：0.005％以下が許容できる。
つぎに、本発明熱延鋼板の組織限定理由について説明する。
本発明熱延鋼板は、上記した組成を有し、さらに主相であるフェライトと、第二相とからなる組織を有する。第二相は、パーライト、または、パーライトおよびベイナイトからなる。なお、ここでいう主相とは、当該相が面積率で50％以上を占める場合をいう。
【００４５】
パーライト、または、パーライトおよびベイナイトからなる第二相は、0.20〜0.42の第二相頻度を有する。第二相頻度が0.20未満では、冷間成形して得た角形鋼管の降伏比が0.80超えとなり、建築構造部材用として要求される降伏比（：0.80以下）を確保できなくなる。一方、第二相頻度が0.42を超えると、建築構造部材用として角形鋼管に要求される、試験温度：０℃におけるシャルピー衝撃試験の吸収エネルギーvE０で150Ｊ以上という、所望の靭性を確保できなくなる。このため、第二相頻度を0.20〜0.42の範囲に限定した。なお、好ましくは0.40以下である。試験温度：−30℃におけるシャルピー衝撃試験の吸収エネルギーvE−３０が150Ｊ以上という高靭性を確保するためには  第二相頻度は、0.35以下とすることが好ましい。なお、第二相頻度は、次式
第二相頻度＝（所定長さの線分と交叉する第二相粒の粒数）／（所定長さの線分と交叉する主相粒および第二相粒の合計粒数）
で定義される。測定方法は上記したとおりである。
【００４６】
さらに本発明熱延鋼板は、上記した第二相頻度を有するとともに、主相であるフェライト相と第二相とを含む平均結晶粒径が７〜15μmである組織を有する。
ここでいう「主相であるフェライト相と第二相とを含む平均結晶粒径」とは、主相であるフェライト相と第二相であるパーライト相、ベイナイト相を含んだ、全結晶粒について測定した平均結晶粒径を意味する。この平均結晶粒径の測定は、熱延鋼板の所定の位置から採取した組織観察用試験片について、圧延方向断面（Ｌ断面）を研磨、ナイタール腐食を施し、板厚１/４ｔ位置を、光学顕微鏡（倍率：500倍）、または走査型電子顕微鏡（倍率：500倍）を用いて組織観察し、１視野以上について撮像し、画像処理して、切断法で平均粒径を算出するものとする。
【００４７】
上記した方法で測定された平均結晶粒径が、７μm未満では、微細すぎて、角形鋼管の降伏比が80％以下を確保できない。一方、15μmを超えて粗大化すると、角形鋼管の靭性が低下し、所望の靭性を確保できなくなる。なお、更なる高靭性を確保するという観点から、好ましくは、12μm以下である。
上記した組成と、上記した組織とを有する熱延鋼板は、降伏強さ：215MPa以上、引張強さ：400〜510MPaの強度と、75％以下の低降伏比を示し、試験温度：０℃で、好ましくは試験温度：−30℃で、シャルピー衝撃試験の吸収エネルギーが180Ｊ以上となる、高靭性とを具備する鋼板となる。このような熱延鋼板を素材とすれば、冷間でロール成形して角形鋼管としても、管軸方向で、降伏強さ：295MPa以上、引張強さ：400〜550MPaの強度と、80％以下の低降伏比と、試験温度：−０℃で、好ましくは試験温度：−30℃で、シャルピー衝撃試験の吸収エネルギーが150Ｊ以上となる、高靭性を具備する角形鋼管とすることができる。
【００４８】
つぎに、本発明熱延鋼板の好ましい製造方法について説明する。
本発明熱延鋼板は、上記した組成を有する鋼素材に、熱延工程と、冷却工程と、巻取工程を施して製造される。
使用される鋼素材は、上記した組成の溶鋼を、転炉、電気炉、真空溶解炉等の通常公知の溶製方法で溶製し、連続鋳造法等の通常公知の鋳造方法により、所望寸法に製造される。なお、溶鋼にはさらに、取鍋精錬等の二次精錬を施してもよい。また、連続鋳造法に代えて、造塊−分塊圧延法を適用しても何ら問題はない。
【００４９】
熱延工程では、上記した組成を有する鋼素材を加熱温度：1100〜1300℃に加熱したのち、粗圧延終了温度：950〜1150℃とする粗圧延を施しシートバーと、該シートバーに仕上圧延開始温度を1100〜850℃、仕上圧延終了温度を750〜900℃とする仕上圧延を施す。
加熱温度：1100〜1300℃
鋼素材の加熱温度が1100℃未満では、被圧延材の変形抵抗が大きくなりすぎて、粗圧延機、仕上圧延機の耐荷重、圧延トルクの不足が生じ、圧延が困難となる。一方、1300℃を超えると、オーステナイト結晶粒が粗大化し、粗圧延、仕上圧延でオーステナイト粒の加工・再結晶を繰返しても、細粒化することが困難となり、所望の熱延鋼板の平均結晶粒径を確保することが困難となる。このため、鋼素材の加熱温度は1100〜1300℃に限定することが好ましい。なお、より好ましくは1100〜1250℃である。また、圧延機の耐荷重、圧延トルクに余裕がある場合には、1100℃以下Ａc3変態点以上の範囲の加熱温度を選択してもよい。鋼素材厚さは、通常用いられる200〜350mm程度でよく、とくに限定されない。
【００５０】
加熱された鋼素材は、ついで粗圧延を施され、シートバーとされる。
粗圧延終了温度：950〜1150℃
加熱された鋼素材は、粗圧延により、オーステナイト粒が加工、再結晶されて微細化する。粗圧延終了温度が950℃未満では、粗圧延機の耐荷重、圧延トルクの不足が生じやすくなる。一方、1150℃を超えて高温となると、オーステナイト粒が粗大化し、その後に仕上圧延を施しても、平均結晶粒径：15μm以下という所望の平均結晶粒径を確保することが困難となる。このため、粗圧延終了温度は950〜1150℃の範囲に限定することが好ましい。この粗圧延終了温度範囲は、鋼素材の加熱温度、粗圧延のパス間での滞留、鋼素材厚さ等を調整することにより達成できる。なお、圧延機の耐荷重、圧延トルクに余裕がある場合には、粗圧延終了温度の下限を、Ａr3変態点＋100℃以上としてもよい。なお、シートバー厚は、仕上圧延で、所望の製品厚さの製品板（熱延鋼板）とすることができればよく、とくに限定する必要はない。本発明では、シートバー厚さは32〜60mm程度が適当である。
【００５１】
シートバーはついで、タンデム圧延機により仕上圧延を施され、熱延鋼板とされる。
仕上圧延開始温度（仕上圧延入側温度）：1100〜850℃
仕上圧延では、圧延加工−再結晶が繰り返され、オーステナイト（γ）粒の微細化が進行する。仕上圧延開始温度（仕上圧延入側温度）が低くなると、圧延加工により導入される加工歪が残存しやすくなり、γ粒の微細化を達成しやすい。仕上圧延開始温度（仕上圧延入側温度）が、850℃未満では、仕上圧延機内で鋼板表面近傍の温度がＡr3変態点以下となりフェライトが生成する危険性が増大する。生成したフェライトは、その後の仕上圧延加工により圧延方向に伸長したフェライト粒となり、加工性低下の原因となる。一方、仕上圧延開始温度（仕上圧延入側温度）が、1100℃を超えて高温となると、上記した仕上圧延によるγ粒の微細化効果が低減し、平均結晶粒径：15μm以下という所望の熱延鋼板の平均結晶粒径を確保することが困難となる。このため、仕上圧延入側温度（仕上圧延開始温度）は1100〜850℃の範囲に限定することが好ましい。なお、より好ましくは1050〜850℃である。
【００５２】
仕上圧延終了温度（仕上圧延出側温度）：900〜750℃
仕上圧延終了温度（仕上圧延出側温度）が900℃を超えて高温となると、仕上圧延時に付加される加工歪が不足し、γ粒の微細化が達成されず、したがって、平均結晶粒径：15μm以下という所望の熱延鋼板の平均結晶粒径を確保することが困難となる。一方、仕上圧延終了温度（仕上圧延出側温度）が750℃未満では、仕上圧延機内で鋼板表面近傍の温度がＡr3変態点以下となり、圧延方向に伸長したフェライト粒が形成され、フェライト粒が混粒となり、加工性が低下する危険性が増大する。このため、仕上圧延出側温度（仕上圧延終了温度）は900〜750℃の範囲に限定することが好ましい。なお、より好ましくは850〜750℃である。
【００５３】
なお、上記した仕上圧延では、仕上圧延の総圧下率を35〜70％とすることがより好ましい。総圧下率が35％未満では、γ粒微細化に必要な十分な加工歪を付与できにくく、所望の熱延鋼板の平均結晶粒径を確保することが難しくなる。一方、総圧下率が70％を超えると、圧延機の耐荷重、圧延トルクの不足が懸念される場合があるとともに、圧延方向に長く伸長したγ粒が形成され、結果として伸長したフェライト粒となり、加工性が低下する危険性が増大する。このため、仕上圧延の総圧下率を35〜70％とすることがより好ましい。さらに好ましくは40〜70％である。
【００５４】
仕上圧延終了後、冷却工程を施す。
冷却工程では、仕上圧延終了後直ちに、熱延鋼板の冷却を開始し、表面温度で750〜650℃の温度域の平均冷却速度が20℃／ｓ以下、板厚中心部温度が650℃に到達するまでの時間が30ｓ以内でかつ板厚中心部の750〜650℃の温度域の平均冷却速度が４〜15℃／ｓとなるように、巻取温度まで冷却する。なお、冷却停止温度は巻取温度〜巻取温度＋50℃とすることが好ましい。
【００５５】
冷却開始：仕上圧延終了後直ちに
本発明でいう「仕上圧延終了後直ちに」とは、仕上圧延終了後、10ｓ以内を意味する。圧延終了後、10ｓを超えて冷却を開始しないと、すなわち高温での滞留時間が長くなると、粒成長が進行して、γ粒の粗大化が生じる。このため、本発明では、仕上圧延終了後10ｓ以内に冷却を開始することにした。なお、好ましくは８ｓ以内である。
【００５６】
鋼板表面で平均冷却速度：20℃／ｓ以下
鋼板表面の平均冷却速度が、20℃／ｓを超えると、冷却に際し、鋼板表面近傍がベイナイト生成域を通過することになり、ベイナイト相が形成され、所望のフェライトと第二相からなる組織を形成できず、所望の第二相頻度を確保できず、降伏比が増加し、冷間成形角形鋼管とした場合に管軸方向の所望の低降伏比を達成できなくなる。このため、鋼板表面で平均冷却速度は20℃／ｓ以下に限定することが好ましい。なお、より好ましくは４〜18℃／ｓである。ここで、鋼板表面の平均冷却速度は、750〜650℃の温度域での平均をいう。
【００５７】
板厚中心部温度が650℃に到達するまでの時間：35ｓ以内
冷却開始から、板厚中心部温度が650℃に到達するまでの時間が、35ｓを超えて冷却時間が長くなると、パーライト相が生成する前に高温で滞留することになり、結晶粒の粗大化が起り、第二相頻度が0.42を超え、所望の熱延鋼板靭性を確保できなくなる。なお、更なる靭性向上のためには、板厚中心部温度が650℃に到達するまでの時間を30ｓ以下とすることがより好ましい。30ｓ以下とすることにより、冷間成形角形鋼管の靭性を、試験温度：−30℃でシャルピー吸収エネルギーvE−30で150Ｊ以上を確保できる。
【００５８】
板厚中心部の平均冷却速度：４〜15℃／ｓ
鋼板板厚中心部の平均冷却速度が４℃／ｓ未満では、フェライト粒の生成頻度が減少し、フェライト結晶粒が粗大化して、平均結晶粒径：15μm以下という所望の熱延鋼板の平均結晶粒径を確保できなくなる。一方、15℃／ｓを超えると、パーライトの生成が抑制され、粗大なベイナイト粒が生成されるため、所望の熱延鋼板の平均結晶粒径を確保できなくなる。このため、板厚中心部の平均冷却速度を４〜15℃／ｓの範囲に限定することが好ましい。なお、より好ましくは4.5〜14℃／ｓである。ここで、鋼板板厚中心部の平均冷却速度は、750〜650℃の温度域での平均をいう。
【００５９】
なお、板厚中央部の冷却速度は、伝熱計算により求めた値を用いるものとする。
冷却後、巻取工程を施される。
巻取工程では、巻取温度：500〜650℃で巻取り、その後放冷する。
巻取温度：500〜650℃
巻取温度が500℃未満では、パーライト生成が抑制され、塊状でラス間隔の粗いベイナイト粒が混在する割合が高くなり、所望の組織を確保できなくなり、冷間成形角形鋼管での所望の降伏比、靭性を達成できなくなる。一方、650℃を超えて高くなると、巻取り後に、パーライト変態が進行するため、巻取り形状が崩れるという不具合が発生するとともに、平均粒径が大きくなり所望の靭性を確保できない。このため、巻取温度は500〜650℃の範囲に限定することが好ましい。なお、より好ましくは520〜630℃である。
【００６０】
以下、実施例に基づいて、さらに本発明について詳細に説明する。
【実施例】
【００６１】
表１に示す組成の溶鋼を転炉で溶製し、連続鋳造法でスラブ（鋼素材：肉厚215mm）とした。それらスラブ（鋼素材）を、表２に示す加熱温度に加熱したのち、表２に示す熱延工程、冷却工程、巻取工程により、板厚：12〜25mmの厚肉熱延鋼板とした。
得られた熱延鋼板を素材として、冷間でロール成形により丸型鋼管とし、ついで、冷間でロール成形により角形鋼管（250〜550mm角）とした。
【００６２】
得られた熱延鋼板から試験片を採取して、組織観察、引張試験、衝撃試験を実施した。試験方法はつぎの通りとした。
（１）組織観察  
得られた熱延鋼板から、観察面が、Ｌ断面となるように、組織観察用試験片を採取し、研磨、ナイタール腐食して、光学顕微鏡（倍率：500倍）または走査型電子顕微鏡（倍率：500倍）を用いて、板厚１/４ｔ位置における組織を観察し、撮像した。得られた組織写真について、画像解析装置を用いて、主相、第二相の種類、および切断法で主相、第二相を含む平均結晶粒径を求めた。
【００６３】
また、得られた組織写真に、図１に示すように、圧延方向と板厚方向にそれぞれ長さ125μmの線分を６本描き、それら線分と交差する各相の結晶粒数を測定した。そして、得られた、線分と交差する各相の結晶粒数から、次式
第二相頻度＝（線分と交叉する第二相粒の粒数）／（線分と交叉する主相粒および第二相粒の合計粒数）
で定義される、第二相頻度を算出した。
（２）引張試験
得られた熱延鋼板から、引張方向が圧延方向となるように、JIS ５号引張試験片を採取し、JIS Z 2241の規定に準拠して引張試験を実施し、降伏強さ、引張強さを測定し、（降伏強さ）／（引張強さ）で定義される降伏比（％）を算出した。
（３）衝撃試験
得られた熱延鋼板の板厚１／４t位置から、試験片長手方向が圧延方向となるように、Ｖノッチ試験片を採取し、JIS Z 2242の規定に準拠して、試験温度：０℃、−30℃で、シャルピー衝撃試験を実施し、吸収エネルギー（Ｊ）を求めた。なお、試験片本数は各３本とした。
【００６４】
また、得られた角形鋼管の平坦部から、試験片を採取し、引張試験、衝撃試験を実施し、降伏比、靭性を評価した。試験方法はつぎの通りとした。
（４）角形鋼管引張試験
得られた角形鋼管平坦部から、引張方向が管長手方向となるように、JIS ５号引張試験片を採取し、JIS Z 2241の規定に準拠して引張試験を実施し、降伏強さ、引張強さを測定し、（降伏強さ）／（引張強さ）で定義される降伏比（％）を算出した。
（５）角形鋼管衝撃試験
得られた角形鋼管平坦部の板厚１／４t位置から、試験片長手方向が管長手方向となるように、Ｖノッチ試験片を採取し、JIS Z 2242の規定に準拠して、試験温度：０℃、−30℃で、シャルピー衝撃試験を実施し、吸収エネルギー（Ｊ）を求めた。なお、試験片本数は各３本とした。
【００６５】
得られた結果を表３に示す。
【００６６】
【表１】
0005589885.tif 000002
【００６７】
【表２】
0005589885.tif 000003
【００６８】
【表３】
0005589885.tif 000004
【００６９】
本発明例はいずれも、冷間成形により角形鋼管を製造しても、角形鋼管の平坦部で、降伏強さ：295MPa以上、引張強さ：400MPa以上、降伏比：80％以下の所望の引張特性を満足するとともに、試験温度：０℃での、シャルピー衝撃試験における吸収エネルギーvE0（Ｊ）が150Ｊ以上、さらには試験温度：−30℃での、吸収エネルギーvE-30（Ｊ）が150Ｊ以上という高靭性を兼備させることができる、厚肉熱延鋼板となっている。一方、本発明の範囲を外れる比較例はいずれも、角形鋼管で、所望の低降伏比を満足できていないか、あるいは所望の高靭性を確保できていないか、あるいはその両方を満足させることができていない。
【図１】
0005589885.tif 000005
【図２】
0005589885.tif 000006
【図３】
0005589885.tif 000007
【図４】
0005589885.tif 000008
【図５】
0005589885.tif 000009